(57)【特許請求の範囲】
【請求項１】
放送データを受信する放送データ受信手段と、
前記放送データ受信手段によって受信された放送データから、この放送データに関するタイトルを含むデータを取得するデータ取得手段と、
前記データ取得手段によって取得されたデータをもとに、放送データを管理するための一連の続き番組を示す識別番号を含む第１の情報管理テーブルを生成する情報管理テーブル生成手段と、
前記放送データ受信手段によって受信された放送データを、前記情報管理テーブル生成手段によって生成された前記第１の情報管理テーブルと共に第１の記録メディアに記録させる第１の放送データ録画手段と、
前記第１の記録メディアに記録された前記第１の情報管理テーブルに含まれる前記識別情報をもとに、前記一連の続き番組のタイトルを選択させる選択手段と、
前記第１の情報テーブルをもとに、前記第１の記録メディアに記録された前記選択手段により選択されたタイトルに対応する一連の続き番組の放送データを整理して第２の記録メディアに記録させる第２の放送データ録画手段と
を具備したことを特徴とする放送データ録画装置。
【請求項２】
前記第２の放送データ録画データ手段により前記第２の記録メディアに記録された一連の続き番組の放送データに応じた第２の情報管理テーブルを前記第２の記録メディアに記録させる情報管理テーブル記録手段をさらに具備したことを特徴とする請求項１記載の放送データ録画装置。
【請求項３】
前記第１の情報管理テーブルに含まれる前記識別情報をもとに、前記選択手段により選択されたタイトルに対応する一連の続き番組の放送データが不足している場合にメッセージを出力するメッセージ出力手段をさらに具備したことを特徴とする請求項１記載の放送データ録画装置。
【請求項４】
外部のネットワークにアクセスしてデータを取得するネットワークアクセス手段を具備し、
前記情報管理テーブル生成手段は、前記ネットワークアクセス手段によって受信されたデータをもとに情報管理テーブルを生成することを特徴とする請求項１記載の放送データ録画装置。
【請求項５】
放送データを受信する放送データ受信ステップと、
前記放送データ受信ステップによって受信された放送データから、この放送データに関するタイトルを含むデータを取得するデータ取得ステップと、
前記データ取得ステップによって取得されたデータをもとに、放送データを管理するための一連の続き番組を示す識別番号を含む第１の情報管理テーブルを生成する情報管理テーブル生成ステップと、
前記放送データ受信ステップによって受信された放送データを、前記情報管理テーブル生成ステップによって生成された前記第１の情報管理テーブルと共に第１の記録メディアに記録させる第１の放送データ録画ステップと、
前記第１の記録メディアに記録された前記第１の情報管理テーブルに含まれる前記識別情報をもとに、前記一連の続き番組のタイトルを選択させる選択ステップと、
前記第１の情報テーブルをもとに、前記第１の記録メディアに記録された前記選択ステップにより選択させたタイトルに対応する一連の続き番組の放送データを整理して第２の記録メディアに記録させる第２の放送データ録画ステップとを具備したことを特徴とする放送データ録画方法。
【発明の詳細な説明】
【０００１】
【発明の属する技術分野】
本発明は、デジタル記録可能なメディアに保存された録画情報を簡易に整理する放送データ録画装置、及び放送データ録画方法に関する。
【０００２】
【従来の技術】
一般に、放送されたテレビ番組を保存する場合には、ビデオテープに録画することが多い。従来のビデオデッキ（ビデオテープレコーダ）では、１本のテープに複数のテレビ番組を特別な意図を持たずに混在して録画した場合でも、ビデオテープに録画された内容をユーザに表示して、特定のテレビ番組の再生を簡単に行うことができるような機能が設けられている。また、一連の続き番組を録画する場合には、ユーザが意識して１本のテープに続けて各回の放送を録画することで、まとめることができる。
【０００３】
【発明が解決しようとする課題】
ところが、一連の続き番組を複数の異なるビデオテープに録画してしまった場合には、２台のビデオデッキを駆使して、ユーザが時間を調整しながら１本のテープに整理して録画し直さなければならない。この際、ビデオテープに録画された内容をユーザに表示することができたとしても、複数のビデオテープに記録された必要とするテレビ番組のそれぞれの記録位置を把握できるだけであって、何れのビデオテープに記録されたテレビ番組を何番目に録画し直すかといったことはユーザが全て把握してしなければならず、作業負担が非常に大きいという問題があった。
【０００４】
本発明は前記のような事情を考慮してなされたもので、番組情報データ（ＥＰＧデータ等）を利用して録画情報管理テーブルを作成し、録画情報の整理を容易にすることが可能な放送データ録画装置、及び放送データ録画方法を提供することを目的とする。
【０００５】
【課題を解決するための手段】
本発明は、放送データを受信する放送データ受信手段と、前記放送データ受信手段によって受信された放送データから、この放送データに関するタイトルを含むデータを取得するデータ取得手段と、前記データ取得手段によって取得されたデータをもとに、放送データを管理するための一連の続き番組を示す識別番号を含む第１の情報管理テーブルを生成する情報管理テーブル生成手段と、前記放送データ受信手段によって受信された放送データを、前記情報管理テーブル生成手段によって生成された前記第１の情報管理テーブルと共に第１の記録メディアに記録させる第１の放送データ録画手段と、前記第１の記録メディアに記録された前記第１の情報管理テーブルに含まれる前記識別情報をもとに、前記一連の続き番組のタイトルを選択させる選択手段と、前記第１の情報テーブルをもとに、前記第１の記録メディアに記録された前記選択手段により選択されたタイトルに対応する一連の続き番組の放送データを整理して第２の記録メディアに記録させる第２の放送データ録画手段とを具備したことを特徴とする。
【０００６】
これにより、テレビ番組の放送データに含まれる、例えば放送データの垂直帰線消去期間の所定の期間に含まれるＥＰＧデータをもとにして、放送データを記録する際の管理に用いる情報管理テーブルが生成されて、放送データが記録される記録メディアに一緒に記録される。従って、特別な作業を行なうことなく情報管理テーブルを作成でき、この情報管理テーブルを参照して記録メディアに記録された放送データを把握することができる。
【０００９】
また、外部のネットワークにアクセスしてデータを取得するネットワークアクセス手段を具備し、前記情報管理テーブル生成手段は、前記ネットワークアクセス手段によって受信されたデータをもとに情報管理テーブルを生成することを特徴とする。
【００１０】
【発明の実施の形態】
以下、図面を参照して本発明の実施の形態について説明する。図１は本実施形態に係わる放送データ録画装置のシステム構成を示すブロック図である。放送データ録画装置は、例えばＣＤ−ＲＯＭ、ＤＶＤ、磁気ディスク等の記録媒体に記録されたプログラムを読み込み、このプログラムによって動作が制御されるコンピュータによって実現される。
【００１１】
図１に示すように、本実施形態における放送データ録画装置は、放送データ受信部１０、ネットワークアクセス部１２、ＥＰＧデータ取得部１４、情報管理テーブル生成部１６、情報管理テーブル一時記憶部１８、放送データ再生部２０、放送データ録画部２２、表示装置２４、情報記録装置２６、再生部２８、及び情報整理部３０によって構成されている。
【００１２】
放送データ受信部１０は、放送されてきたテレビ番組の放送データの受信を行う。放送されてきたデータには、放送データの垂直帰線消去期間の所定の期間にＥＰＧ（Electronic Program Guide）データが含まれているものとする。ＥＰＧデータは、例えばテレビ番組情報放送サービスによって提供されているもので、全国各地域のテレビ番組放送日、開始・終了時間、局チャンネル、番組タイトル、サブタイトル、番組内容、出演者、ジャンル情報という項目のデータが含まれている。
【００１３】
ネットワークアクセス部１２は、インターネットなどのネットワークにアクセスして、各種のデータを取得する。ネットワークアクセス部１２によって取得されるデータには、ＥＰＧデータと同等のデータを取得できるものとする。
【００１４】
ＥＰＧデータ取得部１４は、放送データ受信部１０によって受信された放送データの垂直帰線消去期間の所定の期間に放送されてきたＥＰＧデータを認識して、そのデータの解析を行うと共に映像再生、あるいは録画処理の前処理を行う。また、ＥＰＧデータ取得部１４は、ネットワークアクセス部１２によってネットワーク経由でＥＰＧデータと同等のデータが入力される場合には、ネットワークアクセス部１２からもデータを取得できるものとする。
【００１５】
情報管理テーブル生成部１６は、ＥＰＧデータ取得部１４によって取得されたＥＰＧデータから、記録メディアに記録される放送データ（テレビ番組）を管理するための情報管理テーブルデータ（詳細については後述する）として必要なデータの検索を行い、該当データが見つかった場合に、情報管理テーブル形式に該当データの変換して情報管理テーブルを生成する。例えば、ＥＰＧデータから、放送日、タイトル、サブタイトル情報の抽出を行い、後述する図３のような情報管理テーブルの作成を行う。
【００１６】
情報管理テーブル一時記憶部１８は、情報管理テーブル生成部１６で生成されたデータの一時的な保存を行うもので、メモリ等で構成される。
【００１７】
放送データ再生部２０は、放送データ受信部１０によって受信された放送データをＥＰＧデータ取得部１４を介して取得し、映像データ及び音声データによるモニタ出力を表示装置２４において行なう。
【００１８】
放送データ録画部２２は、放送データ受信部１０によって受信された放送データをＥＰＧデータ取得部１４を介して取得し、映像データ及び音声データを情報記録装置２６によって記録メディアに保存させる。また、放送データ録画部２２は、映像データ及び音声データの録画終了後には、情報管理テーブル一時記憶部１８から録画対象となっているデータに対応する情報管理テーブルデータを参照し、該当データを録画を行った記録メディア上に記録する。
【００１９】
表示装置２４は、放送データ再生部２０による放送データ受信部１０によって受信された放送データ、あるいは再生部２８による情報記録装置２６によって記録メディアに録画されている映像データ及び音声データにより映像や音声の再生を行う。
【００２０】
情報記録装置２６は、ハードディスク（ＨＤＤ）、ＤＶＤ−ＲＡＭやビデオテープ等の記録メディアに対してデータを記録するもので、放送されてきたテレビ番組の放送データ（映像データ及び音声データ）や情報管理テーブルのデータが記録される。情報記録装置２６は、複数の記録メディアに記録されたデータを整理することができるように、例えば複数の記録メディア２６ａ，２６ｂ，…にアクセスできるものとする。記録メディアは、内部或いは外部記憶媒体のどちらでも良い。また、記録メディアは、ハードディスクやＤＶＤ−ＲＡＭのようなランダムアクセス可能なメディアであればどんなメディアでも構わない。
【００２１】
再生部２８は、情報記録装置２６により記録メディアに記録された放送データをもとに、映像データ及び音声データによるモニタ出力を表示装置２４において行なう。
【００２２】
情報整理部３０は、情報記録装置２６により記録メディアに記録された放送データを、他の記録メディアに整理して記録するための処理を実行する。
【００２３】
次に、本実施形態における動作について、フローチャートを参照しながら説明する。
図２は、放送データ受信部１０によって受信された放送データを情報管理テーブルと共に記録メディアに記録する処理を説明するためのフローチャートである。ここでは、電子番組情報であるＥＰＧデータを放送データの垂直帰線消去期間から入手する場合を例にして説明する。
【００２４】
まず、放送データは放送データ受信部１０において受信される（ステップＡ１）。受信された放送データはＥＰＧデータ取得部１４において映像再生、あるいは録画処理の前処理が行われる。ＥＰＧデータ取得部１４は、放送データの垂直帰線消去期間の所定の期間、例えば２６２本の走査線のうち、以前より文字放送用として利用されている第１４番、１５番、１６番、第２１番のラインにＥＰＧデータが存在するかどうかを認識し、もし該当データが存在する場合、そのＥＰＧデータの解析を開始する（ステップＡ２，Ａ３）。
【００２５】
情報管理テーブル生成部１６では、ＥＰＧデータ取得部１４によって放送データからＥＰＧデータが取得された場合、このＥＰＧデータを読み出して情報管理テーブルを作成して情報管理テーブル一時記憶部１８において一時記憶させる（ステップＡ６，Ａ７）。この際、情報管理テーブル生成部１６は、ＥＰＧデータが記録メディアに記録する放送データを管理するための後述する記録情報管理テーブルデータ（図３に情報管理テーブルの一例を示す）に対応して作成されていた場合には、そのまま必要な項目を情報管理テーブルのデータとして使用するが、ＥＰＧデータが情報管理テーブルデータの項目に対応していない場合には、各項目ごとに必要な情報をＥＰＧデータから生成するという処理も行う。
【００２６】
例えば、サブＩＤ（図３参照）は対象データが連続番組の何話目かを示す項目であるので、「第＊話」という様な文字を検索することにより、該当映像データが第何話目かを自動で判断することが可能である。しかし、文字検索で該当データが見つからない場合や異なる文字列が存在する（「第Ａ話」と「第Ｂ話」など）ことも考えられるため、該当項目は空欄にして、データに対する識別データとなる記録日付データのみが、情報管理テーブル一時記憶部１８で情報管理テーブルに記録される。
【００２７】
ＥＰＧデータ取得部１４では放送データに対して何も加工等は行わず、ＥＰＧデータを認識してそのデータから情報管理テーブルデータの作成を行うだけである。このため、データの再生に関しては通常の方式と同様に、放送データ再生部２０で必要な処理が行われて表示装置２４に出力される（ステップＡ５）。
【００２８】
一方、放送データ受信部１０によって受信された放送データについての録画の指示が入力された場合には、放送データ録画部２２は、ＥＰＧデータ取得部１４を介して得られる放送データを、情報記録装置２６において所定の記録メディアに対して録画させる（ステップＡ８）。さらに、放送データ録画部２２は、放送データの録画終了後に、情報管理テーブル一時記憶部１８に一時記憶されている、先に記録メディアに録画した放送データに対応する情報管理テーブル（１つのレコード情報に該当する）をチェックし（ステップＡ９）、その情報管理テーブルを放送データが記録された同じ記録メディアに対して記憶させる（ステップＡ１０）。
【００２９】
なお、記録メディアに対して録画した放送データ（テレビ番組）が、先に同じ記録メディアに記録されている一連の続き番組のものであった場合には、先に放送データが記録された際に作成されている情報管理テーブルの１レコード情報として情報管理テーブル一時記憶部１８に一時記憶されていたデータが追加という形で記録され、一連の続き番組であっても最初の記録であった場合には、情報管理テーブルが新規作成されて記録メディアに記録される。
【００３０】
次に、記録メディアに放送データと共に記録される情報管理テーブルの詳細について説明する。図３は、情報管理テーブルの一例であり、この例を用いて説明する。
【００３１】
図３に示すように情報管理テーブルには、例えば「ファイル名」「ファイルサイズ」「サブＩＤ」「タイトル」「サブタイトル」「録画日付」の項目が設けられている。
【００３２】
「ファイル名」は、放送データ録画部２２が情報記録装置２６によって記録メディアに放送データを録画させる際のファイル識別名であり、ＭＰＥＧ（Moving Picture Experts Group)形式のデータに変換して記録したことを示す拡張子（．ｍｐｇ）が付加されている。なお、この例で示したように録画する放送データはＭＰＥＧ形式のデータである必要はなく、データ形式を認識し易いようなファイル名（拡張子）が付与される他のデータ形式を用いることができる。
【００３３】
「ファイルサイズ」は放送データの実際のサイズ（データ量）であり、データ整理時、空き使用量のチェック等に使用される。
「サブＩＤ」は該当ファイルが一連の続き番組の中の何番目の放送データであるかを示すための識別番号であり、これも「ａａａ／ｂｂｂ」という書式で何話中の第何話であるかを示している例を記述しているが、ファイル名と同様に書式はこの形式でなくても良い。
【００３４】
「タイトル」は、ファイル名の内容の識別、ＥＰＧデータから該当タイトルの検索を行う場合のキーワード、及び複数のメディアに分散して記録されたデータを整理するためのキーワード等に利用する。図３に示す例では、文字列によるタイトル名が情報管理テーブルに記録されているが、文字でなくてもよく、また１レコード情報のそれぞれに記録するのではなく情報管理テーブルのヘッダ情報として一箇所で定義するだけでも良い。
【００３５】
「サブタイトル」は、該当ファイルの内容の付加情報をユーザへ表示するためのものである。
「録画日付」は、放送データを実際に記録メディアに録画した日付情報であり、受信した放送データのＥＰＧデータに「サブＩＤ」のデータが欠落していたり誤まっていた場合に他のレコード情報を利用して修正を行うために利用したり、単にユーザへ該当ファイルの付加情報として提示するために用いる。また、日付情報だけでは同じ日に同じ番組が放送された場合に対応できないため、日付情報に録画処理の時間情報（録画の開始時間と終了時間）を付加しても良い。
【００３６】
なお、情報管理テーブルに設けられた「サブＩＤ」は、情報管理テーブル生成部１６による情報管理テーブルを作成する処理において、正しいか否かがチェックされる。すなわち、情報管理テーブル生成部１６は、ＥＰＧデータ取得部１４によって取得されたＥＰＧデータに含まれる番組回数情報（例えば、第２話／１２回中等という情報）が間違っていた場合のために、放送データの記録対象とする記録メディアに記録されている情報管理テーブルのサブＩＤをチェックし、「録画日付」が示す順番と一致しているかが確認される。ここで、「サブＩＤ」と「録画日付」が一致していない場合には、情報管理テーブル生成部１６は、情報管理テーブル中の「サブＩＤ」に対して自動修正を実行する。
【００３７】
次に、前述のようにして記録メディアに録画された放送データを、異なる記録メディアに渡って一連の続き番組ごとに整理するためのデータ整理処理について説明する。図４は、情報管理テーブルを利用した場合のデータ整理処理を説明するためのフローチャートである。
【００３８】
まず、データ整理処理の実行が指示されると、情報整理部３０は、整理対象とする記録メディアを選択させるための情報整理メニューを表示装置２４において表示させる。例えば、図５（ａ）に示すような、整理対象とする記録メディアが、内蔵されている記録メディア（例えばハードディスク）であるか、可搬型の外部の記録メディア（例えばＤＶＤ−ＲＡＭ）であるかを選択させるための情報整理メニューを表示させる（ステップＢ１）。
【００３９】
ここで、本体内の記録メディアか挿入メディアの何れかが選択されると（ステップＢ２）、情報整理部３０は、情報記録装置２６により、選択された記録メディアから情報管理テーブルの読み込みを行う（ステップＢ３）。そして、情報整理部３０は、読み込んだ情報管理テーブルから「タイトル」の情報だけを抽出し、タイトル一覧情報を表示装置２４において表示させる（ステップＢ４）。例えば、図５（ｂ）に示すように情報管理テーブルに記録されているタイトルが一覧表示され、その中から任意にタイトルを選択できるようになっている。
【００４０】
ここで、整理対象とする番組のタイトルが指定され、「ＯＫ」ボタンが押下されると、情報整理部３０は、整理対象とするタイトルを確定して（ステップＢ５）、次に、「どのメディアに整理しますか？」等のメッセージと共に、何れの記録メディアに対して整理した放送データを記録するかを選択させるための情報整理メニューを表示装置２４において表示させる（ステップＢ６）。この情報整理メニューは、図５（ａ）と同じように、本体内の記録メディアであるか挿入メディア（外部）であるかを選択させるためのメニューである。
【００４１】
ここで、挿入メディアが選択された場合、情報整理部３０は、ユーザに対して、整理後のデータが記録される記録メディアを情報記録装置２６へ挿入させる。記録メディアが情報記録装置２６へ挿入されると、情報整理部３０は、例えば「このメディアが良いですね？」の確認メッセージを表示装置２４において表示させ、確認の指示が入力されると実際に以下のようにしてデータの整理を行なう。
【００４２】
まず、情報整理部３０は、挿入された記録メディアに対して、整理した放送データを記録することを明示する認識用マークをつける。また、メディア容量（空き容量）のチェックを行い、どの程度の量のデータが記録できるかを事前に確認しておく。
【００４３】
以下、一連の続き番組の各回の放送データを整理先の記録メディアに記録していくことでデータ整理が行われる。
まず、整理対象のタイトルの指定された回数の放送データが記録されている記録メディアを情報記録装置２６に挿入させる（ステップＢ７）。例えば、情報整理部３０は、「タイトル“＊＊＊”が記録されているメディアを挿入してください。」（“＊＊＊”はタイトル名）等のメッセージを表示装置２４において表示させて、該当する記録メディアの情報記録装置２６への挿入を促す。
【００４４】
情報整理部３０は、情報記録装置２６に記録メディアが挿入されると、この記録メディアから情報管理テーブルを読み出し、サブＩＤのチェックを行うことによって、挿入された記録メディアに一連の続き番組の何話目の放送データが記録されているかを確認する。また、情報整理部３０は、整理対象とする放送データのファイルサイズを取得する（ステップＢ１０）。
【００４５】
ここで、挿入された記録メディアに該当するタイトルの放送データが記録されていなかった場合、放送情報整理部３０は、再度、「タイトル“＊＊＊”が記録されている別のメディアを挿入してください。」等のメッセージを表示装置２４において表示させて、該当する記録メディアの情報記録装置２６への挿入を促す（ステップＢ７）。
【００４６】
一方、挿入された記録メディアに該当するタイトルの放送データが記録されていた場合、放送情報整理部３０は、整理対象とする放送データを、本体側の大容量の記録メディアへ一時コピーする（ステップＢ１１）。この時、本体内の記録メディアにコピーした各放送データに対応する情報管理テーブル（各レコード情報）をもコピーしておく。なお、本体内の記録メディアに記録されている放送データのみを、外部の記録メディアに整理して保存する場合は、ここでは何も処理を行なう必要がない。
【００４７】
次に、情報整理部３０は、ステップＢ１０でチェックしたサブＩＤが指定回数話から順に揃っているかどうかを確認し、整理対象となる放送データが足りなかった場合には、「タイトル“＊＊＊”が記録されている別のメディアを挿入してください。」等のメッセージを表示装置２４において表示させた後にステップＢ７の処理に戻る（具体的に「第＊話が足りません」というメッセージであっても良い）。
【００４８】
以上の操作により整理対象とする放送データがすべて内部の記録メディアに揃うと、情報整理部３０は、ステップＢ１０で得た各放送データのファイルサイズからトータルのデータサイズを計算し、整理先の記録メディアに全ての放送データが記録可能であるかチェックする。この結果、整理先の記録メディアの容量が足りない場合には、情報整理部３０は、例えば「タイトル“＊＊＊”は第＊話までしかメディアに保存できません。＊話以降は別のメディアに整理してください。」等のメッセージを表示装置２４において表示させる。
【００４９】
情報整理部３０は、整理先の記録メディアが外部の記録メディアであった場合、情報記録装置２６に挿入された記録メディアにステップＢ８でマークをつけたメディアであることを確認し、本体内の記録メディアに一時保存している放送データを移動させる（ステップＢ１３）。この際、内部の記録メディアに放送データと共に一時コピーしていた情報管理テーブル（情報レコード）をも移動して、整理先の記録メディアにおいても情報管理テーブルを記録しておく。
【００５０】
なお、整理先の記録メディアの容量が足りない場合には、情報整理部３０は、先に表示装置２４において表示させたメッセージにより通知した「第＊話まで」の放送データを移動させた後、例えば「別のメディアを挿入してください。」のメッセージを表示装置２４において表示させて、別の記録メディアの挿入を促す。そして、挿入された別の記録メディアに対して、同様にして本体内の記録メディアに一時保存している残りの放送データを、それぞれに対応する情報管理テーブルの情報レコードと共に移動させる。
【００５１】
以上の処理によって整理先の記録メディアにおいて、一連の続き番組を整理した状態で記録することができる。
【００５２】
以下、放送データを記録メディアにおいて整理して記録する処理の具体例について説明する。
図６には、通常の放送データの録画先として内蔵された大容量の記録メディアを用い、この大容量の記録メディアに録画した放送データを整理する様子を示している。
【００５３】
録画先が大容量メディアＡのみが用いられている場合には、通常、図６（ａ）に示すように、空いている領域に適当に放送データが記録されていく。しかし、このまま利用を続けると大容量メディアＡの記録可能領域が少なくなるために、データの消去やデータの移動を行い、記録可能領域を可能な限り多くしておく必要がある。このため、メディアＢやＣと言った汎用の他の記録メディアへデータを移動させる必要が生じ、その際に放送データの整理が行われる。
【００５４】
図６（ａ）に示す例では、連続番組Ａ（複数話）、連続番組Ｂ（複数話）、特別番組Ａ、スポーツＡが混在して大容量メディアＡに録画されている。ここで、連続番組である連続番組Ａを対象として、図４のフローチャートに示すデータ整理処理を実行することにより、図６（ｃ）に示すようにメディアＢにおいて連続番組Ａの放送データが整理して記録される。この際、メディアＢには、整理して記録された複数話を含む連続番組Ａの情報管理テーブル（Ｂ）も記録される。また、連続番組Ｂについても同様にしてデータ整理処理を実行することによって、図６（ｄ）に示すようにメディアＣに整理して記録される。この結果、内蔵された大容量メディアＡは、図６（ｂ）に示すように、特別番組Ａ、スポーツＡのみが残ることになり、情報管理テーブル（Ａ）についても、２つの番組についてのレコード情報のみが記録されことになる。
【００５５】
図７には、複数の記録メディアに分かれて記録されている放送データを連続番組だけを対象にして、１つの記録メディアに整理して記録し、その他の放送データを大容量メディアに記録する様子を示している。
【００５６】
図７に示す例では、図７（ａ）に示すようにメディアＢには連続番組Ａ（複数話）、連続番組Ｂ（複数話）、特別番組Ａが記録され、図７（ｂ）に示すようにメディアＣには連続番組Ａ（複数話）、連続番組Ｂ（複数話）、スポーツＡが記録され、図７（ｃ）に示すように大容量メディアＡには連続番組Ａ（複数話）、連続番組Ｂ（複数話）、特別番組Ｂ，Ｃ，Ｄ、スポーツＢ，Ｃが記録されている。
【００５７】
ここで、連続番組である連続番組Ａを対象として、図４のフローチャートに示すデータ整理処理を実行することにより、図７（ｅ）に示すようにメディアＢにおいて放送データが整理して記録される。すなわち、連続番組Ａについて整理を行なう場合には、連続番組Ａが複数のメディアＡ，Ｂ，Ｃに分散しているので、それぞれのメディアから連続番組Ａの放送データが大容量メディアＡに一時コピーされた後、メディアＢに対して連続番組Ａの放送データが整理して記録される。なお、連続番組Ａ以外の番組（連続番組Ｂ、特別番組Ａ）についての放送データは、予め大容量メディアＡに移動されて、メディアＢに空き容量が確保されているものとする。また、同様にして、連続番組Ｂを対象に整理先の記録メディアをメディアＣとして、データ整理処理を実行することにより、メディアＣに対して、図７（ｆ）に示すように連続番組Ｂがの放送データが整理して記録される。また、大容量メディアＡには、連続番組Ａ，Ｂ以外の番組についての放送データが記録されることになる。そして、それぞれのメディアについては、整理された放送データに対応する情報管理テーブル（Ａ）（Ｂ）（Ｃ）が記録される。
【００５８】
このようにして、受信した放送データの垂直帰線消去期間から得られるＥＰＧデータをもとにして、放送データを記録メディアに記録しておく際のデータ整理のために必要な情報管理テーブルを生成することができる。また、情報管理テーブルを利用することで、データ整理処理によって一連の続き番組など特定の番組を対象として放送データを整理して、特定の記憶メディアに記録することが簡単な操作によって行なうことができる。
【００５９】
なお、前述した説明では、情報管理テーブルを生成するための元となる情報（ＥＰＧデータ）を放送データの垂直帰線消去期間から取得するするものとしているが、ネットワークアクセス部１２がインターネットなどのネットワークにアクセスし、外部からＥＰＧデータと同等のデータを取得して、このデータをもとにして情報管理テーブルを作成するようにしても良い。この際、放送データの「録画日付」のデータをもとにして、必要なデータ（何れの放送データに関するデータであるか）を指定することができる。ネットワークアクセス部１２によって取得されるデータは、情報管理テーブル形式そのままのデータやＥＰＧデータ形式やその他の形式のデータであっても良い。さらに、インターネットなどのネットワーク経由で取得するだけでなく、外部から供給される方法であれば他の取得方法であっても良い。これにより、放送データとして送られてきたＥＰＧデータの情報では不十分である場合やＥＰＧデータが無い場合であっても情報管理テーブルを生成することができる。
【００６０】
また、上述した実施形態において記載した手法は、コンピュータに実行させることのできるプログラムとして、例えば磁気ディスク（フロッピーディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【００６１】
【発明の効果】
以上詳述したように本発明によれば、テレビ番組の放送データに含まれる、例えば放送データの垂直帰線消去期間の所定の期間に含まれるＥＰＧデータをもとにして、放送データを記録する際の管理に用いる情報管理テーブルが生成されて、放送データが記録される記録メディアに一緒に記録される。従って、特別な作業を行なうことなく情報管理テーブルを作成でき、この情報管理テーブルを参照して記録メディアに記録された放送データを把握することができる。また、各記録メディアに記録された情報管理テーブルをもとに、放送データの整理を実行することができる。
【図面の簡単な説明】
【図１】本実施形態に係わる放送データ録画装置のシステム構成を示すブロック図。
【図２】放送データ受信部１０によって受信された放送データを情報管理テーブルと共に記録メディアに記録する処理を説明するためのフローチャート。
【図３】情報管理テーブルの一例を示す図。
【図４】情報管理テーブルを利用した場合のデータ整理処理を説明するためのフローチャート。
【図５】データ整理処理を実行する際に用いられる情報整理メニューの一例を示す図。
【図６】大容量の記録メディアに録画した放送データを整理する様子を示す図。
【図７】複数の記録メディアに分かれて記録されている放送データを連続番組だけを対象にして、１つの記録メディアに整理して記録し、その他の放送データを大容量メディアに記録する様子を示す図。
【符号の説明】
１０…放送データ受信部
１２…ネットワークアクセス部
１４…ＥＰＧデータ取得部
１６…情報管理テーブル生成部
１８…情報管理テーブル一時記憶部
２０…放送データ再生部
２２…放送データ録画部
２４…表示装置
２６…情報記録装置
２８…再生部
３０…情報整理部
【図１】
0003792951.tif 000002
【図２】
0003792951.tif 000003
【図３】
0003792951.tif 000004
【図４】
0003792951.tif 000005
【図５】
0003792951.tif 000006
【図６】
0003792951.tif 000007
【図７】
0003792951.tif 000008